(57)【要約】      （修正有）【課題】産業型超臨界複合式抽出構造を提供する。【解決手段】抽出装置に抽出対象物Ｂを抽出するための原料取付具Ａを内設し、複合触媒装置５の触媒容器５１にて補助抽出の触媒Ｃを収容し、超臨界装置６に二酸化炭素を抽出装置１１に抽出する加圧素子６２と、二酸化炭素の温度を引き上げる加熱素子６４とを有し、収集容器Ｆに収集素子を内設し、収集素子が抽出装置の収集チューブ７３に接続していて、収集チューブが収集容器の上方に対応して凝縮滴下口７５を設ける。これにより、超臨界の二酸化炭素Ｄが効率的に抽出対象物を抽出できる。【選択図】図１
0003223982.tif 000002
【実用新案登録請求の範囲】
【請求項１】
少なくとも抽出装置と、自動材料供給装置と、取付具搬送装置と、複合触媒装置と、超臨界装置と、収集装置とを含み、
前記抽出装置の右側にピストン弁を有し、外側は前記ピストン弁に対応してピストンローダーを有し、
前記自動材料供給装置に保存空間を内設し、下部に等量出力ノズルを設け、
前記取付具搬送装置に循環ローダーを設け、前記循環ローダーが前記等量出力ノズル下方から前記ピストンローダーに位置し、
前記複合触媒装置に１ないし８の触媒容器を設け、前記触媒容器に触媒を収容し、前記触媒容器が触媒ポンプと、抽出装置とを接続し、
前記超臨界装置が気体保存具に接続し、前記気体保存具に二酸化炭素を内蔵し、前記超臨界装置に加圧素子を配置し、前記加圧素子が抽出装置のベンチュリ管と接続し、前記ベンチュリ管に加熱素子を配置し、
前記収集装置に収集ローダーを内設し、前記収集ローダーに挿入スロットを敷設し、前記収集装置が抽出装置の収集チューブと接続し、前記収集装置に収集チューブを設けられた冷却凝縮装置を有し、収集チューブが挿入スロットの上方に対応して、凝縮滴下口を設けることを特徴とする、産業型超臨界複合式抽出構造。
【請求項２】
前記収集装置の下方に前記収集ローダーを回転させるための搬送具をさらに設け、前記収集装置の上方に抽出具をさらに設け、前記抽出具が押上ピストン具をさらに含む、前記収集装置上方に前記押上ピストン具に対応して出力口仕切弁を設けることを特徴とする、請求項１記載の産業型超臨界複合式抽出構造。
【考案の詳細な説明】
【技術分野】
【０００１】
本考案は産業型超臨界複合式抽出構造に関し、特に超臨界状態の二酸化炭素を用いて、抽出対象物の加圧抽出技術分野に関する。
【背景技術】
【０００２】
我々の生活に多くの薬物自体が毒性を帯びる。しかし、毒性以外に有用物がないことではない。そのうち、大麻がもっとも特色を有する。
大麻の成分には、人類に習慣性をもたらすテトラヒドロカンナビノールと習慣性を与えないカンナビジオールとを含む。そのうち、カンナビジオールには人類にとって有益性と利用価値を含まれている。薬効果の特徴は抗けいれん、抗不安、抗炎症抗等の作用を挙げられる。
【考案の概要】
【考案が解決しようとする課題】
【０００３】
現時点、カンナビジオールの抽出について、溶剤抽出法がもっとも適切な方法と言われる。しかし、溶剤抽出法には溶剤の残留、重金属などを除去できなく、含まれている有機塩が溶剤によって破壊され、溶剤を除去するという課題が残り、大麻原料の浪費である。
【課題を解決するための手段】
【０００４】
本考案において、抽出装置と、自動材料供給装置と、複合触媒装置と、超臨界装置と、収集装置と、を含む、産業型超臨界複合式抽出構造が提供される。
【０００５】
係る抽出装置の右側にピストンバルブを有し、外側は係るピストンバルブに対応してピストンローダーを有する。
【０００６】
係る自動材料供給装置に保存空間を内設し、下部に等量出力ノズルを設ける。
係る取付具搬送装置に循環ローダーを設け、循環ローダーは等量出力ノズルから係る循環ローダーに移動される。
【０００７】
係る複合触媒装置に１から８の触媒容器を設け、触媒容器に触媒ポンプと、抽出装置とを接続されている。
【０００８】
係る超臨界装置を気体保存具につなぎ、内部に二酸化炭素を収容し、超臨界装置に加圧具を配置され、加圧具を抽出装置のベンチュリ管に接続し、ベンチュリ管に加熱素子が配置されている。
【０００９】
係る収集装置に収集ローダーを内設し、収集ローダーに挿入スロットを敷設し、収集装置は収集装置の収集チューブと接続し、収集装置に収集チューブを冷却するための冷却凝縮装置を有し、収集チューブが挿入スロットの上方に対応して、凝縮滴下口を設ける。
【考案の効果】
【００１０】
本考案において、収集装置の下方に収集ローダーを回転させるための搬送具を設け、収集装置の上方に抽出具を設け、抽出具に押上ピストン具を設け、収集装置の上方は押上ピストン具に対応する出力口仕切弁を設ける。
本考案の目的は超臨界装置を利用し、二酸化炭素を抽出装置内部で超臨界状態にした上、超臨界状態の二酸化炭素によって、抽出物を抽出する効果を実現する。
【図面の簡単な説明】
【００１１】
【図１】本考案の産業型超臨界複合式抽出構造の概略図である。
【図２】本考案の取付具搬送装置の概略図である。
【図３】本考案の収集ローダーの上面図である。
【考案を実施するための形態】
【実施例】
【００１２】
本考案の産業型超臨界複合式抽出構造１が抽出装置１１と、自動材料供給装置３と、取付具搬送装置４と、複合触媒装置５と、超臨界装置６と、収集装置７とを含む。
【００１３】
係る抽出装置１１に、少なくとも１つの原料取付具Ａを内設し、原料取付具Ａに抽出対象物Ｂを収容し、抽出装置１１は原料取付具Ａの右側に抽出装置１１をオンとオフ制御のピストン弁１２を有し、抽出装置１１の外側に原料取付具Ａを搬送するピストンローダー２を有する。
【００１４】
係る自動材料供給装置３に抽出対象物Ｂを取り付ける保存空間３１を有し、保存空間３１の下方に抽出対象物Ｂの出力量制御の等量出力ノズル３３を設ける。
【００１５】
係る取付具搬送装置４に原料取付具Ａを等量出力ノズル３３下方に搬送して、抽出対象物Ｂを受けるための循環ローダー４１を設け、原料取付具Ａを循環ローダー４１からピストンローダー２に搬送した上、ピストンローダー２によって、抽出装置１１に送られる。
【００１６】
複合触媒装置５はメチルアルコール、エチルアルコール、ヘキサン、アンモニア、エチレン、プロパン、プロピレンと水を補助抽出ための触媒Ｃと、少なくとも８つの触媒容器５１を有し、触媒容器５１は触媒Ｃを抽出して、抽出装置１１に搬送する触媒ポンプ５２を設けられている。
【００１７】
係る超臨界装置６と気体保存具６１とを接続し、気体保存具６１の内部に二酸化炭素Ｄを収容し、超臨界装置６は気体保存具６１の二酸化炭素Ｄを抽出装置１１に抽出するため、少なくとも一つの加圧素子６２を配置し、加圧素子６２は抽出装置１１に連絡するベンチュリ管６３と連絡し、ベンチュリ管６３に二酸化炭素Ｄ温度を引き上げる加熱素子６４を設ける。
【００１８】
係る収集装置７に収集ローダー７１を内設し、収集ローダー７１に挿入スロット７２を敷設し、それぞれの挿入スロット７２に収集容器Ｆを収容し、収集装置７は少なくとも抽出装置１１につなぐ収集チューブ７３を有し、収集装置７は少なくとも収集チューブ７３を冷却するための冷却凝縮装置７４をさらに有し、収集チューブ７３が収集容器Ｆの上方に対応して少なくとも凝縮滴下口７５を設けられている（図１に示す、取付具搬送装置４図２に示す）。
【００１９】
さらに、収集装置７の下方に収集ローダー７１を回転させるための搬送具７７を設け、収集装置７の上方に抽出具７８を設け、抽出具７８に押上ピストン具７８１を設ける。搬送具７７によって、収集ローダー７１を回転させ、収集容器Ｆを抽出具７８の位置に搬送して、押上ピストン具７８１によって、収集容器Ｆを掴んで収集装置７より搬出し、収集装置７の上方が押上ピストン具７８１に対応して出力口仕切弁７１２を設ける（図１、３）。
【００２０】
以上の説明から分かるように、本考案の産業型超臨界複合式抽出構造１によれば、超臨界装置６を加熱して、二酸化炭素Ｄを抽出装置１１に仕込み、抽出対象物Ｂによる超臨界抽出とともに、触媒Ｃと合わせて、抽出対象物Ｂの所望成分を抽出する。このように多様性に抽出対象物Ｂを抽出できる点が本考案の優れるところである。
【符号の説明】
【００２１】
Ａ    原料取付具
Ｂ    抽出対象物
Ｃ    触媒
Ｄ    二酸化炭素
Ｆ    収集容器
１    産業型超臨界複合式抽出構造
１１    抽出装置
１２    ピストン弁
２    ピストンローダー
３    自動材料供給装置
３１    保存空間
３３    等量出力ノズル
４    取付具搬送装置
４１    循環ローダー
５    複合触媒装置
５１    触媒容器
５２    触媒ポンプ
６    超臨界装置
６１    気体保存具
６２    加圧素子
６３    ベンチュリ管
６４    加熱素子
７    収集装置
７１    収集ローダー
７１２    出力口仕切弁
７２    挿入スロット
７３    収集チューブ
７４    冷却凝縮装置
７５    凝縮滴下口
７７    搬送具
７８    抽出具
７８１    押上ピストン具
【図１】
0003223982.tif 000003
【図２】
0003223982.tif 000004
【図３】
0003223982.tif 000005